(57)【要約】【課題】玄関の上がり框のリフォ−ムに際し、古い上がり框表面に不陸が発生していても、古い上がり框表面を研削する手間が省けて施工手間が大変少なくて済み、しかも施工精度や長期耐久性にも優れたものとなるリフォ−ム用上がり框とリフォ−ム方法を提供する。【解決手段】既存の上がり框及び床板上に被覆して取り付けるリフォ−ム用上がり框において、該リフォ−ム用上がり框は、水平部とその前端縁に設けた垂下片からなる断面形状略逆Ｌ字型の枠部材からなり、前記枠部材の水平部及び垂下片の裏面に、枠部材の上角部の方へいくに従ってその厚みが減少する向きのテ−パ−と、所定の大きさの凹部が形成されるようにした。【選択図】        図３
2004285728.tif 000002
【特許請求の範囲】
【請求項１】
既存の上がり框及び床板上に被覆して取り付けるリフォ−ム用上がり框において、該リフォ−ム用上がり框は、水平部とその前端縁に設けた垂下片からなる断面形状略逆Ｌ字型の枠部材からなり、前記枠部材の水平部及び垂下片の裏面に、枠部材の上角部の方へいくに従ってその厚みが減少する向きのテ−パ−と、所定の大きさの凹部が形成されていることを特徴とするリフォ−ム用上がり框。
【請求項２】
前記枠部材の水平部及び垂下片の裏面に形成された凹部が、上がり框の長手方向に設けられた所定の幅と深さと長さを有する条溝であることを特徴とする請求項１に記載のリフォ−ム用上がり框。
【請求項３】
既存の上がり框と床板をリフォ−ムするにあたって、
１．既存の上がり框の上から前記リフォ−ム用上がり框の枠部材を仮に被せて、枠部材の水平部及び垂下片の水平及び垂直を保持したままで、枠部材と古い既存の上がり框との隙間の大きさと位置を確認する。
２．仮に被せた枠部材を取り去って、既存の古い上がり框の表面及び見付面に生じた前記隙間位置に、高粘度の接着剤又は充填剤を多目に塗布し、
３．高粘度の接着剤又は充填剤を多目に塗布した既存の古い上がり框の上に前記枠部材を裏面を下にして既存の上がり框を覆うようにして被せ、枠部材裏面の凹部に前記接着剤又は充填剤が浸入するようにし、枠部材と古い既存の上がり框との前記隙間を充填する。
４．さらに、既存の古い床板表面に高粘度の接着剤又は充填剤を多めに塗布し、
５．その上に１枚目の新しい床板を被着し、
６．１枚目の新しい床板の前端部を、接合部における段差と隙間に注意しながら前記枠部材の水平部の後端部に当接させて、釘又はステ−プルを打入して接合する。
７．２枚目以降の新しい床板を同様にして順次接合することを特徴とする請求項１又は２に記載のリフォ−ム用上がり框を用いたリフォ−ム方法。
【発明の詳細な説明】
【０００１】
【発明の属する技術分野】
本発明は住宅内部の玄関の上がり框に関する発明で、詳しくは古くなった上がり框をリフォ−ムする際に用いるリフォ−ム用上がり框と該リフォ−ム用上がり框を用いた既存の上がり框と床板のリフォ−ム方法に関する。
【０００２】
【従来の技術】
従来、住宅内部の玄関の上がり框と床板をリフォ−ムする際、古い上がり框と古い床板を全て取り去って新しい上がり框と床板に施工し直すと、その施工手間が多大にかかり経済的にも大変不利であった。そこで、床板と上がり框の上面全てに新しい床板を敷設し、さらに、敷設した床板木口面と上がり框前面を覆うようにして被覆材を被着することが良く行われてきた。しかし、この方法では、床板と被覆材によって既存の上がり框が覆い隠されてしまい、床板前縁に厚みの薄い被覆材が表出し、上がり框の厚みが失われ、重厚さと装飾性に劣るものとなっていた。
【０００３】
さらに、この場合、図４に研削部ｍとして示すように、古い上がり框に不陸ｆや傾斜ｓがあると、その箇所を平坦に研削してからでないと前記、新しい床板及び被覆材を被着することができなかった。しかし、古い上がり框の不陸や傾斜を平坦に研削することは至難の業であった。
【０００４】
このような問題点を解決するため、古くなった上がり框の上に断面が略逆Ｌ字型に形成したリフォ−ム用としての上がり框被覆枠を古くなった上がり框の上面及び前面に覆うようにして被着し、さらに、古い床板の上に新しい床板を覆うようにして張り上げることが開示されている。（例えば、特許文献１参照）。
【０００５】
また、既存の古い上がり框の上面及び前面に下地材を釘打ち等の機械的固定手段によって被覆固定し、その表面に化粧材を接着する方法が開示されている。（例えば、特許文献２参照）。
【０００６】
【特許文献１】
特開平１１−１７２８９４号公報（第２−４頁、第１図、第２図）
【特許文献２】
特開２００１−３４２７３８号公報（第２−７頁、第３図、第４図）
【０００７】
【発明が解決しようとする課題】
しかしながら、特開平１１−１７２８９４号公報に開示されている方法や特開２００１−３４２７３８号公報に開示されている方法でリフォ−ムした場合、前記装飾性改善効果は期待できるが、古くなった上がり框は前記したように、その上面に不陸が発生したり、甚だしい場合は框の上面が水平でなく傾斜していることも多く、先ず初めに、古い上がり框上面や前面に生じた不陸や傾斜面を鉋掛けやサンダ−等で平滑且つ水平又は垂直に研削し、古い框表面を調整してからでないと、框と床の間で段差や隙間がなく、しかも框上面の水平度と平担性を確保しつつ精度良くリフォ−ムすることは極めて困難であった。それに加えて古い框上面や前面を平滑に鉋掛けしたり、サンダ−掛けしたりすることは多大な手間がかかり、施工性に大きな問題があった。
【０００８】
本発明の目的は、玄関の上がり框と床を新しいものにリフォ−ムする際、古い框上面や前面に不陸が発生していたり、框上面の水平度又は框前面の垂直度が出ていなくて、傾斜が生じていても、古い框上面や前面を研削する手間が省略できることで施工手間が大変少なくて済み、しかも新しい框と床板の間で段差や隙間がほとんど発生せず、新しい框の水平度や垂直度を十分確保でき、さらに長期耐久性にも優れたリフォ−ム用上がり框およびリフォ−ム方法を提供することにある。
【０００９】
【課題を解決するための手段】
上記目的を達成するため、本発明の請求項１に記載のリフォ−ム用上がり框は、既存の上がり框及び床板上に被覆して取り付けるリフォ−ム用上がり框において、該リフォ−ム用上がり框は、水平部とその前端縁に設けた垂下片からなる断面形状略逆Ｌ字型の枠部材からなり、前記枠部材の水平部及び垂下片の裏面に、枠部材の上角部の方へいくに従ってその厚みが減少する向きのテ−パ−と、所定の大きさの凹部が形成されていることを特徴とする。
【００１０】
係る構成によれば、玄関の上がり框と床板を新しいものにリフォ−ムする際、古い既存の上がり框上面や前面に不陸があったり、上がり框上面の水平度や上がり框前面の垂直度が出ていなくて、傾斜が生じていても、前記枠部材の水平部と垂下片の裏面に枠部材の上角部の方へいくに従ってその厚みが減少する向きのテ−パ−と所定の大きさの凹部が設けられているので、古い上がり框の不陸や傾斜箇所を有効に吸収するので、古い上がり框の不陸や傾斜などの変形箇所をリフォ−ムに先立って鉋やサンダ−などで研削する手間が省略でき、施工手間が大変少なくて済む。
【００１１】
また、接着剤や充填剤を用いてリフォ−ムする際、本発明のリフォ−ム用上がり框の前記枠部材を古い既存の框に被着させる時、接着剤や充填剤が多少多目であっても、前記枠部材の裏面に形成されたテ−パ−部と凹部に余剰の接着剤や充填剤が吸収されるので、あふれ出す心配がないばかりでなく、水平部や垂下片が比較的薄い部材で構成されていても、テ−パ−部及び凹部に浸入した接着剤や充填剤が固化し、枠部材の強度を著しく向上させる。
【００１２】
また、本発明の請求項２に記載の発明は、請求項１に記載のリフォ−ム用上がり框において、前記枠部材の水平部及び垂下片の裏面に形成された凹部が、上がり框の長手方向に設けられた所定の幅と深さと長さを有する条溝であることを特徴とする。
【００１３】
係る構成によれば、前記枠部材の水平部及び垂下片裏面に設けた凹部が、長手方向に設けられた所定の幅と深さと長さを有する条溝であるので、枠部材の水平部及び垂下片の曲げ剛性を適度に抑制することが可能となり、古い既存の上がり框表面の不陸や傾斜が大きくても、それにうまく追随して施工が可能となり、施工精度と施工性の、よりいっそうの向上につながる。
【００１４】
また、接着剤や充填剤を用いてリフォ−ムする際、本発明のリフォ−ム用上がり框の前記枠部材を古い既存の框に被着させる時、接着剤や充填材が多少多目であっても、前記枠部材の裏面に形成された条溝に余剰の接着剤や充填剤が程良く吸収されるので、あふれ出す心配がないばかりでなく、水平部や垂下片が比較的薄い部材で構成されていても、条溝内に浸入した接着剤や充填剤が固化し、枠部材をよりいっそう強固なものとする。
【００１５】
また、本発明の請求項３に記載の発明は、請求項１又は２に記載のリフォ−ム用上がり框を用いて、既存の上がり框をリフォ−ムするにあたって、
１．既存の上がり框の上から前記リフォ−ム用上がり框の枠部材を仮に被せて、枠部材の水平部及び垂下片の水平及び垂直を保持したままで、枠部材と古い既存の上がり框との隙間の大きさと位置を確認する。
２．仮に被せた枠部材を取り去って、既存の古い上がり框の表面及び見付面に生じた前記隙間位置に、高粘度の接着剤又は充填剤を多目に塗布し、
３．高粘度の接着剤又は充填剤を多目に塗布した既存の古い上がり框の上に前記枠部材を裏面を下にして既存の上がり框を覆うようにして被せ、枠部材裏面の凹部に前記接着剤又は充填剤が浸入するようにし、枠部材と古い既存の上がり框との前記隙間を充填する。
４．さらに、既存の古い床板表面に高粘度の接着剤又は充填剤を多目に塗布し、
５．その上に１枚目の新しい床板を被着し、
６．１枚目の新しい床板の前端部を、接合部における段差と隙間に注意しながら前記枠部材の水平部の後端部に当接させて、釘又はステ−プルを打入して接合する。
７．２枚目以降の新しい床板を同様にして順次接合する。
以上の手順でリフォ−ムすることを特徴とする。
【００１６】
係るリフォ−ム方法によれば、古い上がり框上面や前面の不陸や傾斜面に高粘度でしかも塗布量が通常よりも多目に塗布された接着剤又は充填剤が、框上面や前面の平滑性と水平度、垂直度を補完するかの如くに、古い框上面や前面の不陸や傾斜面と前記枠部材裏面に設けられたテ−パ−との隙間を充填するように浸入し、さらに、余剰の接着剤又は充填剤は、前記枠部材の水平部及び垂下片裏面に設けられた凹部にまで浸入し、枠部材上面（水平部上面）の平滑度と水平度及び、枠部材前面（垂下片前面）の平滑度と垂直度を担保する。
【００１７】
余剰の接着剤又は充填剤は前記枠部材の水平部及び垂下片裏面に設けられた凹部に浸入するので、接着剤又は充填剤の塗布量は多少多目であっても、あふれ出す心配がない。しかも接着剤又は充填剤の塗布量を気にしなくともよいので作業性に優れたものとなる。
【００１８】
さらに、前記枠部材の水平部や垂下片が比較的薄い部材で構成されていても、前記凹部の内部深くに浸透した接着剤又は充填剤が硬化する際、水平部及び垂下片を構成する基材を堅固に固化させるので前記枠部材は強固なものとなる。特に上がり框上面は歩行時に足の裏で長期に亘って繰り返し押圧されたり摩耗させられたりして酷使され、古くなると不陸が発生したり傾斜して水平の平担度が出なくなることが多いが、前記枠部材の水平部裏面に設けた凹部が、所定の大きさを有する凹部であると、これらの負荷に耐え長期耐久性に優れたものとなる。
【００１９】
また、前記枠部材の水平部及び垂下片裏面に設けた凹部が、長手方向に設けられた所定の幅と深さと長さを有する条溝であると、接着剤又は充填剤の高粘度化と高塗布量化によって古い既存の上がり框の不陸や傾斜による表面平担性欠如にうまく対応できることのみならず、枠部材長手方向の前記条溝の働きで、枠部材の水平部及び垂下片の曲げ剛性を適度に抑制することが可能となり、古い既存の上がり框表面の不陸や傾斜が大きくても、それにうまく馴染むことが可能となり施工精度と施工性の向上につながる。さらに、接着剤又は充填剤が多少多目であっても、あふれ出す心配がないばかりでなく、余剰の接着剤又は充填剤が前記条溝内に浸入し、枠部材の水平部や垂下片が薄い部材で構成されていても、枠部材そのものの強度が著しく向上したものとなる。
【００２０】
【発明の実施の形態】
以下、本発明に係るリフォ−ム用上がり框の実施の形態の一例を図面により詳細に説明する。図１は本発明のリフォ−ム用上がり框の一実施形態を示す斜視図、図２、図３は本発明のリフォ−ム用上がり框の施工状態を示す側断面図である。本例に示すリフォ−ム用上がり框は、水平部１ａとその前端縁に設けた垂下片１ｂからなる断面略逆Ｌ字型の枠部材１から構成されている。
【００２１】
該枠部材１の水平部１ａ及び垂下片１ｂの裏面に、枠部材１の上角部１ｃの方へいくに従ってその厚みが減少する向きのテ−パ−が設けられている。該テ−パ−の大きさは約１／１００〜１０／１００ｍｍ程度が最適である。あまり大き過ぎると古い框Ｋと枠部材１との間の隙間Ｃが大きくなりすぎて前記接着剤又は充填剤Ａを多量に必要とする。また、逆に前記テ−パ−が小さ過ぎると、古い框Ｋの変形を吸収する機能が低下する。前記の範囲が最適である。
【００２２】
本発明のリフォ−ム用上がり框は、前記枠部材１の水平部１ａ及び垂下片１ｂの裏面に所定の大きさの凹部が形成されており、リフォ−ムする際、古い既存の上がり框Ｋを剥がさないで、古い既存の上がり框Ｋを覆うようにして被覆するものである。前記凹部の形状は円形、方形、条溝、凹凸等が適するがこれらに限られるものではない。前記凹部の各種形状のうち、条溝でしかも条溝の方向が枠部材１の長手方向に形成されていると、水平部１ａ及び垂下片１ｂの曲げ剛性を適度に抑えることが可能となり、古い上がり框Ｋの表面に不陸や傾斜による平担性不良があっても、それにうまく追随して施工できるので、施工精度が向上するのみならず、施工性向上にもつながる。
【００２３】
本発明のリフォ−ム用上がり框を古い上がり框Ｋの上に被覆して施工する際に使用する接着剤又は充填剤Ａとしては、高粘度の接着剤又は高粘度のパテが適する。高粘度の接着剤としては、例えば、ユリア樹脂又はユリアメラミン共縮合樹脂系接着剤の場合は、酢酸ビニ−ル樹脂エマルジョンをユリア樹脂又はユリアメラミン共縮合樹脂１００重量部に対して約３０重量％〜８０重量％程度混入し、さらに小麦粉等の増粘剤を約２０重量％〜５０重量％の範囲で添加し、硬化剤として塩化アンモンを１〜２重量％程度添加して配合後の糊液粘度を約４００ポイズ〜８００ポイズ程度とする。
【００２４】
ユリア樹脂又はユリアメラミン共縮合樹脂系接着剤以外に、レゾルシノ−ル樹脂系接着剤、フェノ−ル樹脂系接着剤、ポリエステル樹脂系接着剤、ポリウレタン樹脂系接着剤、エポキシ樹脂系接着剤、ポリビニル樹脂系接着剤、アクリル樹脂系接着剤等が適する。しかし、これらに限られるものではない。増粘剤、増量剤を適宜添加して糊液粘度を約４００ポイズ〜１５００ポイズ程度の高粘度となるように調整する。増粘剤、増量剤はそれぞれの接着剤に適するものがあるからそれを適宜選定すればよい。
【００２５】
また、接着剤の塗布量は古い既存の上がり框Ｋの表面の平担度にもよるが、通常の接着作業に用いられる塗布量の約３〜５倍程度、即ち、約３００ｇ／ｍ２〜５００ｇ／ｍ２程度が適する。古い框Ｋの表面平担度に合わせて適宜施工現場で調整する。接着剤の粘度があまり低すぎると古い既存の上がり框Ｋとその上を被覆する枠部材１との間の隙間Ｃを充填する効果が減少する。また逆に接着剤の粘度が高すぎると施工時に接着剤の塗布作業において、大変塗布しづらくなって施工作業性が大幅に低下する。
【００２６】
また、前記高粘度接着剤を使用する代わりに、高粘度のパテ等の充填剤を用いて前記隙間Ｃを充填してもよい。パテとしては、ポリウレタン樹脂系パテ、エポキシ樹脂系パテ、アクリル樹脂系パテ等の合成樹脂系パテで樹脂分の固形分濃度が少なくとも５０重量％以上望ましくは８０〜１００重量％程度のパテが最も望ましい。パテの粘度は前記高粘度接着剤と同様に、約４００ポイズ〜１５００ポイズ程度が適する。また、パテの塗布量は、古い既存の上がり框Ｋの表面平担度にもよるが約３００ｇ／ｍ２〜５００ｇ／ｍ２程度が適する。古い上がり框Ｋの表面平担度に合わせて適宜施工現場で調整する。
【００２７】
本発明の枠部材１の水平部１ａと垂下片１ｂの裏面に形成する凹部の大きさは古い既存の上がり框Ｋの表面平担度にもよるが、塗布した接着剤又は充填剤の総量の約３０％以上、望ましくは約５０％以上を凹部に吸収可能な大きさとする。このようにすることで、余剰の接着剤又は充填剤を程良く吸収することが可能で、しかも吸収された接着剤又は充填剤が枠部材１の裏面に形成された前記凹部に浸入することで、枠部材１を構成する材料が薄い材料で構成されていても、枠部材の強度が著しく向上する。
【００２８】
前記凹部が枠部材１の長手方向に形成した条溝Ｊの場合、溝幅が約０．５〜５ｍｍ程度、溝深さが水平部１ａ又は垂下片１ｂの厚みの２／３〜４／５程度が適する。また、溝の方向は枠部材１の長手方向に略平行な方向で、溝の長さは枠部材の全長に亘ってもよいし、また、所定又は不特定の間隔をおいて設けてもよいが、この場合、溝の全長が枠部材の長手方向の寸法の５０％以上望ましくは８０％以上あれば良い。以上述べたサイズよりも条溝のサイズが小さすぎると余剰の接着剤又は充填剤の吸収が難しく、しかも、枠部材１の曲げ剛性の適度な抑制を得るのが困難になる。
【００２９】
枠部材１の水平部材１ａと垂下片１ｂの構成は、基材表面とその表面に貼着された化粧材からなっている。基材としては、合板、パ−ティクルボ−ド、中比重繊維板、ＯＳＢ、集成材、ＬＶＬ、木材ムク板等の木質基材の他、例えば塩化ビニル樹脂等の合成樹脂に木粉を所定量混入した人工木材、ウレタン樹脂発泡体等が好適な例として挙げられる。これら木質基材を断面略逆Ｌ字型に接合したもの、又は、これらの合成樹脂基材を押し出し成型又は鋳型成型したものを例示することができる。
【００３０】
木質基材の場合は水平部１ａと垂下片１ｂとは、共に平板状であるので、それぞれの端面どうしを雇実加工、相じゃくり加工、本実加工、留め加工等の接合手段でもって断面形状が略逆Ｌ字型になるように接合し枠部材１が得られる。
【００３１】
表面化粧材としては、銘木突板、銘木厚単板、突板シ−ト等の天然銘木を用いその上からウレタン樹脂塗料、アミノアルキッド樹脂塗料、アクリル樹脂塗料等で塗装仕上げした天然化粧材の他、杢目柄を印刷した塩ビシ−ト、薄葉紙などの印刷化粧シ−ト等が用いられる。
【００３２】
次に、実際の施工現場で住宅の玄関をリフォ−ムする際の施工手順について説明する。先ず、古い上がり框Ｋ及び古い床板Ｆは剥がさないで、そのままとし、表面の汚れや油成分等を除去し、次に古い上がり框Ｋの上面（水平面）Ｋ１及び正面見付面（垂直面）Ｋ２の表面の不陸ｆや傾斜ｓの程度を観察する。リフォ−ム用の上がり框として、請求項１又は２に記載のリフォ−ム用上がり框の枠部材１を用意し、既存の上がり框Ｋの上から前記枠部材１を仮に被せて、枠部材１の水平部１ａ及び垂下片１ｂの水平、垂直を保持したままで、枠部材１と古い既存の上がり框Ｋとの隙間Ｃの大きさと位置を確認する。
【００３３】
次に、仮に被せた枠部材１を取り去って、既存の古い上がり框Ｋの上面及び見付面に生じた前記隙間Ｃの位置に、高粘度の接着剤又は充填剤Ａを多目に塗布し、続いて、高粘度の接着剤又は充填剤Ａを多目に塗布した既存の古い上がり框Ｋの上に前記リフォ−ム用上がり框の枠部材１を裏面を下にして既存の上がり框Ｋを覆うようにして被せ、枠部材１の裏面の凹部又は条溝Ｊに接着剤又は充填剤Ａが浸入するようにし、枠部材１と古い既存の上がり框Ｋとの前記隙間Ｃを充填する。
【００３４】
さらに、既存の古い床板Ｆの表面に高粘度の接着剤又は充填剤Ａを多目に塗布し、その上に１枚目の新しい床板２を被着し、１枚目の新しい床板２の前端部を、接合部における段差と隙間に注意しながら、前記リフォ−ム用上がり框の枠部材１の水平部１ａの後端部に当接させて釘又はステ−プルｐを打入して接合する。２枚目以降の新しい床板も同様にして順次接合して上がり框のリフォ−ムが完成する。
【００３５】
【発明の効果】
既存の上がり框及び床板上に被覆して取り付けるリフォ−ム用上がり框において、該リフォ−ム用上がり框は、水平部とその前端縁に設けた垂下片からなる断面形状略逆Ｌ字型の枠部材からなり、前記枠部材の水平部及び垂下片の裏面に、枠部材の上角部の方へいくに従ってその厚みが減少する向きのテ−パ−と、所定の大きさの凹部が形成されているので、古い上がり框上面や前面に不陸や傾斜などによる変形や盛り上がりがあったり、框上面の水平度や框前面の垂直度が出ていなくても、それらを有効に吸収するので、古い上がり框の不陸や傾斜などの変形箇所をリフォ−ムに先立って鉋やサンダ−などで研削する手間が省略でき施工手間が大変少なくて済む。
【００３６】
しかも、古い上がり框上面や前面の不陸や傾斜面に高粘度でしかも塗布量が通常よりも多目に塗布された接着剤又は充填剤が、既存の上がり框上面や前面の平滑性と水平度、垂直度を補完するかの如くに、古い既存の上がり框上面や前面の不陸や傾斜面と前記枠部材裏面との隙間を充填するように浸入し、さらに、余剰の接着剤又は充填剤は、前記枠部材の水平部及び垂下片裏面に設けられた凹部にまで浸入し、上がり框上面の平滑度と水平の平担度及び框前面の平滑度と垂直度を担保する。余剰の接着剤又は充填剤は裏面に設けられた凹部又は条溝に浸透するので、接着剤又は充填剤の塗布量は多少多目であっても、あふれ出す心配がない。
【００３７】
前記枠部材が比較的薄い部材で構成されていても、前記凹部の内部深くに浸入した接着剤又は充填剤が硬化する際、水平部及び垂下片を構成する基材を堅固に固化させるので、前記枠部材は強固なものとなる。特に上がり框上面は歩行時に押圧されたり摩耗させられたりして酷使され、古くなると平担度が出なくなることが多いが、前記凹部への接着剤又は充填剤によって、長期耐久性に優れたものとなる。
【００３８】
前記枠部材の裏面に設けた凹部が、長手方向に設けられた条溝であると、前記、古い框の不陸や傾斜吸収機能、余剰接着剤充填剤の吸収機能、枠部材の強度向上にとって、よりいっそう好適であるのみならず、枠部材の水平部及び垂下片の曲げ剛性を適度に抑制することが可能となり、古い既存の上がり框表面の不陸や傾斜が大きくても、それにうまく馴染むことが可能となり施工精度と施工性の、よりいっそうの向上につながる。
【図面の簡単な説明】
【図１】本発明のリフォ−ム用上がり框の一実施形態を示す斜視図。
【図２】本発明のリフォ−ム用上がり框の施工状態の一例を示す側断面図。
【図３】本発明のリフォ−ム用上がり框の施工状態の他例を示す側断面図。
【図４】従来の上がり框のリフォ−ム方法の説明のための側断面図。
【符号の説明】
１      枠部材
１ａ    水平部
１ｂ    垂下片
１ｃ    上角部
２      新しい床板
Ｊ      条溝
Ａ      接着剤又は充填剤
Ｃ      隙間
Ｋ      既存の古い框
Ｋ１    上面
Ｋ２    見付面
ｆ      不陸
ｓ      傾斜
ｐ      釘又はステ−プル
Ｆ      既存の古い床板
Ｎ      小根太
ｍ      研削部
【図１】
2004285728.tif 000003
【図２】
2004285728.tif 000004
【図３】
2004285728.tif 000005
【図４】
2004285728.tif 000006